(57)【要約】【課題】簡易な構成により磁気ヘッドによる磁気記録の読取精度を高め得るようにする。【解決手段】小切手処理装置１は、スキャナ部１５の磁気読取部５０において、磁気ヘッド４１の上側に押付部５１を設け、ベルトプーリ５２Ａ及び５２Ｂの周囲に掛け回したベルト５３のベルト下部５３Ｌを、該磁気ヘッド４１の頂上部分に押し付けた。磁気読取部５０は、磁気ヘッド４１の姿勢や前後方向の位置に関して取付誤差が生じた場合であっても、該磁気ヘッド４１に合わせてベルト下部５３Ｌが変形して湾曲面を形成するため、読取箇所４１Ｒに対し小切手ＣＫを適切に押し付ける。このため小切手処理装置１は、磁気読取部５０において、磁気ヘッド４１の取付誤差等による影響を受けること無く、読取箇所４１Ｒにより小切手ＣＫの磁気記録領域ＭＲから磁気記録を精度良く読み取ることができる。【選択図】図５
2017187940.tif 000002
【特許請求の範囲】
【請求項１】
互いに対向する第１案内体及び第２案内体の間に形成され、紙葉状の媒体を搬送させる搬送路と、
前記媒体に駆動力を伝達することにより、該媒体を前記搬送路に沿って上流側から下流側へ進行させる駆動力伝達部と、
前記搬送路の前記第１案内体側に配置され、前記搬送路において、搬送される前記媒体に読取箇所を当接させることにより、該媒体から磁気を読み取る磁気ヘッドと、
前記搬送路の前記第２案内体側に配置され、前記磁気ヘッドと対向する位置において該磁気ヘッドの上流側及び下流側の間に張架され、前記搬送路に沿って搬送される前記媒体を該磁気ヘッドに当接させるベルトと、
前記ベルトを前記媒体の搬送方向に沿って走行させるベルト走行部と
を具えることを特徴とする磁気読取装置。
【請求項２】
前記磁気ヘッドは、前記読取箇所を、前記ベルトにおける前記磁気ヘッドの上流側及び下流側において最も前記第１案内体側に位置する箇所よりも前記第２案内体側に位置させる
ことを特徴とする請求項１に記載の磁気読取装置。
【請求項３】
前記ベルトの張力を調整するベルト張力調整部
をさらに具えることを特徴とする請求項１に記載の磁気読取装置。
【請求項４】
前記ベルト張力調整部は、前記磁気ヘッドを前記ベルトに向けて付勢する付勢体である
ことを特徴とする請求項３に記載の磁気読取装置。
【請求項５】
前記付勢体は、前記磁気ヘッドの少なくとも上流側及び下流側に隣接する部分を、前記磁気ヘッドと共に前記ベルトに向けて付勢する
ことを特徴とする請求項４に記載の磁気読取装置。
【請求項６】
前記ベルトを挟んで前記磁気ヘッドと対向する箇所に、該ベルトを前記磁気ヘッドに向けて押し付けるベルト押付部
をさらに具えることを特徴とする請求項１に記載の磁気読取装置。
【請求項７】
前記第１案内体は、前記磁気ヘッドの少なくとも上流側に、周囲よりも上記第２案内体側へ隆起した隆起部が形成されている
ことを特徴とする請求項１に記載の磁気読取装置。
【請求項８】
前記駆動力伝達部は、
前記磁気ヘッドよりも上流側に配置されている
ことを特徴とする請求項１に記載の磁気読取装置。
【請求項９】
前記駆動力伝達部は、前記第２案内体側に配置され、所定の回転速度で回転する駆動ローラと、前記第１案内体側に配置され自在に回転する従動ローラとにより前記媒体を挟持して該媒体に前記駆動力を伝達し、
前記ベルト走行部は、前記駆動ローラにおける外周部の進行速度と同等の速度で前記ベルトを走行させる
ことを特徴とする請求項８に記載の磁気読取装置。
【請求項１０】
前記ベルトは、前記第２案内体側における前記磁気ヘッドの上流側及び下流側にそれぞれ配置されたプーリの周囲に掛け回され、
前記ベルト走行部は、前記駆動力伝達部の前記駆動ローラと同等の回転速度で前記プーリを回転させる
ことを特徴とする請求項９に記載の磁気読取装置。
【請求項１１】
小切手を利用者との間で受け渡す受渡部と、
前記小切手を搬送する搬送部と、
前記小切手から磁気を読み取る磁気読取部と
を具え、
前記磁気読取部は、
互いに対向する第１案内体及び第２案内体の間に形成され、前記搬送部から引き渡される前記小切手を搬送させる搬送路と、
前記小切手に駆動力を伝達することにより、該小切手を前記搬送路に沿って上流側から下流側へ進行させる駆動力伝達部と、
前記搬送路の前記第１案内体側に配置され、前記搬送路において、搬送される前記小切手に読取箇所を当接させることにより、該小切手から磁気を読み取る磁気ヘッドと、
前記搬送路の前記第２案内体側に配置され、前記磁気ヘッドと対向する位置において該磁気ヘッドの上流側及び下流側の間に張架され、前記搬送路に沿って搬送される前記小切手を該磁気ヘッドに当接させるベルトと、
前記ベルトを前記小切手の搬送方向に沿って走行させるベルト走行部と
を具えることを特徴とする小切手処理装置。
【発明の詳細な説明】
【技術分野】
【０００１】
本発明は磁気読取装置及び小切手処理装置に関し、例えば小切手による入金処理を行う小切手処理装置に適用して好適なものである。
【背景技術】
【０００２】
従来、小切手処理装置においては、金融機関等において顧客との間で媒体としての小切手による入金取引を行うものが普及している。一般に、小切手には、ＭＩＣＲ（Magnetic Ink Character Recognition）方式に準拠した、磁気インクを用いた特殊なフォントで表された文字（以下これをＭＩＣＲ文字と呼ぶ）により、該小切手に関する情報が印刷されている。このため小切手処理装置は、内部に磁気読取装置が組み込まれており、この磁気読取装置により小切手からＭＩＣＲ文字を読み取った上で、入金取引を行うようになっている。
【０００３】
磁気読取装置としては、例えば小切手等の媒体を所定の搬送路に沿って搬送し、該媒体に磁気ヘッドを当接させることにより、該媒体から磁気記録を読み出すものが知られている。また磁気記録装置のなかには、搬送路を挟んで磁気ヘッドと対向する位置に、自在に回転すると共に媒体を該磁気ヘッドに押し付けるローラを配置したものがある（例えば、特許文献１参照）。この磁気読取装置では、搬送路に沿って搬送される媒体をローラによって磁気ヘッドに押し付けることにより、該媒体から磁気記録を精度良く読み取ることができる。
【０００４】
また、磁気読取装置に設けられる磁気ヘッドとしては、例えば媒体と当接する当接面が搬送路に向けて凸状となるように湾曲された上で、その頂上部分（すなわち搬送路内へ最も突出した部分）に磁気記録を読み取る読取箇所が設けられたものがある。これにより磁気読取装置では、搬送路において媒体が磁気ヘッド側又はローラ側に偏って走行していたとしても、その先端部分が該磁気ヘッド又はローラに当接したときに引っ掛けさせることなく、該媒体を磁気ヘッドの当接面やローラの周側面に沿って読取箇所へ導くことができる。
【先行技術文献】
【特許文献】
【０００５】
【特許文献１】特開平９−３３０３７９号公報（図３）
【発明の概要】
【発明が解決しようとする課題】
【０００６】
ところで、上述した磁気読取装置では、磁気ヘッドの当接面及びローラの周側面が何れも湾曲しているため、ローラのうち磁気ヘッドに当接する当接点を磁気ヘッドの頂上部分に合わせる必要がある。
【０００７】
しかしながら磁気読取装置では、仮に磁気ヘッド又はローラに取付誤差があった場合や各部品の精度が低かった場合等に、ローラの当接点が磁気ヘッドの頂上部分、すなわち読取箇所から外れてしまう恐れがある。このような場合、磁気読取装置では、磁気ヘッドの読取箇所に対し媒体を十分に押し付けることができず、磁気記録の読み取り精度を低下させてしまう、という問題があった。
【０００８】
本発明は以上の点を考慮してなされたもので、簡易な構成により磁気ヘッドによる磁気記録の読取精度を高め得る磁気読取装置及び小切手処理装置を提案しようとするものである。
【課題を解決するための手段】
【０００９】
かかる課題を解決するため本発明の磁気読取装置においては、互いに対向する第１案内体及び第２案内体の間に形成され、紙葉状の媒体を搬送させる搬送路と、媒体に駆動力を伝達することにより、該媒体を搬送路に沿って上流側から下流側へ進行させる駆動力伝達部と、搬送路の第１案内体側に配置され、搬送路において、搬送される媒体に読取箇所を当接させることにより、該媒体から磁気を読み取る磁気ヘッドと、搬送路の第２案内体側に配置され、磁気ヘッドと対向する位置において該磁気ヘッドの上流側及び下流側の間に張架され、搬送路に沿って搬送される媒体を該磁気ヘッドに当接させるベルトと、ベルトを媒体の搬送方向に沿って走行させるベルト走行部とを設けるようにした。
【００１０】
また本発明の媒体処理装置においては、紙葉状の媒体を利用者との間で受け渡す受渡部と、媒体を搬送する搬送部と、媒体から磁気を読み取る磁気読取部とを設け、磁気読取部は、互いに対向する第１案内体及び第２案内体の間に形成され、搬送部から引き渡される小切手を搬送させる搬送路と、媒体に駆動力を伝達することにより、該媒体を搬送路に沿って上流側から下流側へ進行させる駆動力伝達部と、搬送路の第１案内体側に配置され、搬送路において、搬送される媒体に読取箇所を当接させることにより、該媒体から磁気を読み取る磁気ヘッドと、搬送路の第２案内体側に配置され、磁気ヘッドと対向する位置において該磁気ヘッドの上流側及び下流側の間に張架され、搬送路に沿って搬送される媒体を該磁気ヘッドに当接させるベルトと、ベルトを媒体の搬送方向に沿って走行させるベルト走行部とを設けるようにした。
【００１１】
本発明は、磁気ヘッドの読取箇所近傍の形状に合わせてベルトを変形させながら走行させることにより、磁気ヘッドの取付位置や取付角度に誤差が生じたとしても、読取箇所に媒体を適切に押し付けることができ、且つ搬送部と共に下流側へ円滑に進行させることができる。
【発明の効果】
【００１２】
本発明によれば、磁気ヘッドによる磁気記録の読取精度を高め得る磁気読取装置及び小切手処理装置を実現できる。
【図面の簡単な説明】
【００１３】
【図１】小切手処理装置の全体構成を示す略線図である。
【図２】スキャナ部の構成を示す略線図である。
【図３】磁気読取部の構成を示す略線図である。
【図４】磁気読取部の構成を示す略線図である。
【図５】磁気読取部による小切手の読取を示す略線図である。
【図６】従来の磁気読取部の構成を示す略線図である。
【図７】第２の実施の形態による磁気読取部の構成を示す略線図である。
【図８】他の実施の形態による磁気読取部の構成を示す略線図である。
【図９】他の実施の形態による磁気読取部の構成を示す略線図である。
【発明を実施するための形態】
【００１４】
以下、発明を実施するための形態（以下実施の形態とする）について、図面を用いて説明する。
【００１５】
［１．第１の実施の形態］
［１−１．小切手処理装置の構成］
図１に模式的な左側面図を示すように、第１の実施の形態による小切手処理装置１は、例えば金融機関等に設置されており、利用者（すなわち金融機関の顧客）との間で小切手の入金取引に関する処理を行う。この小切手処理装置１は、全体として直方体状に形成されたフレーム２の内部に、媒体としての小切手に関する種々の処理を行う複数の処理ユニットが組み込まれた構成となっている。
【００１６】
以下では、小切手処理装置１のうち顧客が対峙する側を前側とし、その反対を後側とし、当該前側に対峙した顧客から見て左及び右をそれぞれ左側及び右側とし、さらに上側及び下側を定義して説明する。
【００１７】
この小切手処理装置１は、制御部３により全体を統括的に制御するようになっている。この制御部３は、図示しないＣＰＵ（Central Processing Unit）を中心に構成されており、図示しないＲＯＭ（Read Only Memory）やフラッシュメモリ等から所定のプログラムを読み出して実行することにより、入金取引に関する種々の処理を行う。また制御部３は、内部にＲＡＭ（Random Access Memory）、ハードディスクドライブやフラッシュメモリ等でなる記憶部を有しており、この記憶部に各種プログラムや入金取引に関する種々の情報を記憶させている。
【００１８】
因みに小切手処理装置１には、制御部３の制御に基づき利用者に向けて種々の情報を表示する表示部（図示せず）や、該利用者の操作指示を受け付けて該制御部３に通知する操作部（図示せず）等も設けられている。
【００１９】
フレーム２の上部における前側約半分の部分には、バンドル部１１が配置されている。バンドル部１１の前端には、開閉可能なシャッタ１１Ｓが設けられている。制御部３は、上述した操作部（図示せず）を介して利用者から入金取引の開始を指示する操作を受け付けると、バンドル部１１に対しシャッタ１１Ｓを開放させるよう制御する。
【００２０】
これに応じてバンドル部１１は、利用者に対し束状に集積された小切手ＣＫ（以下これを束小切手ＣＫＢとも呼ぶ）を内部に挿入させ、その後シャッタ１１Ｓを閉塞することにより、内部に保有する小切手ＣＫを保護する。因みに小切手ＣＫは、長方形の紙により構成され、その表面に金額等の情報が表示されている。また束小切手ＣＫＢは、各小切手ＣＫの長辺を前後に沿わせ、短辺を左右方向に沿わせると共に、金額等が記載された表面を上に向けた姿勢で挿入される。
【００２１】
バンドル部１１は、内部に設けられた束搬送機構により前後方向に沿った束搬送路ＷＢを形成しており、束小切手ＣＫＢをこの束搬送路ＷＢに沿って後方向へ搬送し、該バンドル部１１の後端近傍に設けられた分離部１２の前側に到達させる。分離部１２は、束小切手ＣＫＢの上面側から小切手ＣＫを１枚ずつに分離し、後方のアライナ部１３に順次引き渡していく。
【００２２】
アライナ部１３は、主に前後方向に沿った搬送経路の後端に主に上下方向に沿った搬送経路の上端が接続された第１搬送路Ｗ１を内部に構成しており、分離部１２から受け取った小切手ＣＫをこの第１搬送路Ｗ１に沿って後方及び下方へ順次搬送する。このときアライナ部１３は、該小切手ＣＫを第１搬送路Ｗ１における幅方向の一方、例えば右側に寄せていき、下方に配置された第１切替部１４に引き渡す。
【００２３】
第１切替部１４は、制御部３の制御に基いて小切手ＣＫの搬送経路を切り替えることにより、上側の第１搬送路Ｗ１及び後側の第２搬送路Ｗ２を接続し、或いは後側の第２搬送路Ｗ２及び下側の第３搬送路Ｗ３を接続するようになっている。すなわち第１切替部１４は、アライナ部１３から小切手ＣＫが引き渡される場合、上側の第１搬送路Ｗ１及び後側の第２搬送路Ｗ２を接続し、この小切手ＣＫを前方のスキャナ部１５に引き渡す。
【００２４】
ところでアライナ部１３及び第１切替部１４の内部では、分離部１２から受け取りスキャナ部１５に引き渡すまでの小切手ＣＫの搬送経路である第１搬送路Ｗ１を、英大文字の「Ｃ」のような形状、或いは英大文字の「Ｕ」の上側を前方へ向けて回転させたような形状に形成している。このため小切手ＣＫは、表面を下側に向けた状態で、第１切替部１４からスキャナ部１５に引き渡される。
【００２５】
スキャナ部１５は、アライナ部１３のほぼ真下に位置しており、前後方向に沿った第２搬送路Ｗ２が内部に形成されている。このスキャナ部１５は、第１切替部１４から第２搬送路Ｗ２に沿って小切手ＣＫを前方へ搬送しながら、該小切手ＣＫからＭＩＣＲ文字を読み取り、また該小切手ＣＫの両面をそれぞれ撮像して画像データを生成した上で、前下側に位置する第２切替部１６に引き渡す。第２切替部１６は、制御部３の制御により後上側及び前側を繋ぐように内部の搬送経路を切り替えており、スキャナ部１５から受け取った小切手ＣＫを前方のエスクロ部１７に引き渡す。
【００２６】
エスクロ部１７は、バンドル部１１のほぼ真下に配置されており、その内部に回転するドラムや該ドラムの周側面に巻き付けるテープ、及び小切手ＣＫを搬送するための搬送部等を有している。このエスクロ部１７は、第２切替部１６から受け取った小切手ＣＫをドラムの周側面近傍へ搬送し、テープと共にドラムの周側面に順次巻き付けることにより、該小切手ＣＫを一時的に保留していく。説明の都合上、ここまでの一連の処理を入金読取処理と呼ぶ。
【００２７】
制御部３は、バンドル部１１に挿入された全ての小切手ＣＫをスキャナ部１５により読み取り終えると、読み取った内容を表す画像や文字等を表示部（図示せず）に表示すると共に、利用者に入金取引を継続するか否かを問い合わせる。
【００２８】
ここで利用者から入金取引の中止が指示されると、制御部３は、エスクロ部１７に保留している全ての小切手ＣＫを利用者に返却させる返却処理を開始する。すなわちエスクロ部１７は、ドラムを逆回転させることにより保留していた小切手ＣＫを１枚ずつ繰り出し、第２切替部１６を介してスキャナ部１５に引き渡していく。スキャナ部１５、第１切替部１４及びアライナ部１３は、第２搬送路Ｗ２及び第１搬送路Ｗ１に沿って小切手ＣＫを入金読取処理と反対方向へ搬送することにより、該小切手ＣＫを分離部１２に順次引き渡す。
【００２９】
分離部１２は、引き渡された小切手ＣＫを前方へ放出することにより、バンドル部１１内に小切手ＣＫを集積していく。バンドル部１１は、分離部１２により小切手ＣＫが放出されて束小切手ＣＫＢが形成されると、シャッタ１１Ｓを開放すると共に集積された小切手ＣＫの束、すなわち束小切手ＣＫＢを束搬送路ＷＢに沿って前方へ搬送し、その前側部分を外部に露出させた状態で挟持する。
【００３０】
ここでバンドル部１１は、組み込まれたセンサにより束小切手ＣＫＢが取り出されたか否か監視している。制御部３は、バンドル部１１のセンサにより束小切手ＣＫＢが取り出されたことを検出した場合、該束小切手ＣＫＢが利用者に返却されたものと判断し、シャッタ１１Ｓを閉塞して返却処理を終了する。
【００３１】
一方、バンドル部１１において所定時間内に束小切手ＣＫＢが取り出されなかった場合、制御部３は、利用者が束小切手ＣＫＢを取り忘れたまま立ち去ったと判断し、この束小切手ＣＫＢを取り込む取忘取込処理を開始する。具体的に制御部３は、入金読取処理の場合と同様、バンドル部１１により束小切手ＣＫＢを後方へ搬送し、分離部１２により再び１枚ずつの小切手ＣＫに分離し、アライナ部１３、第１切替部１４及びスキャナ部１５により第１搬送路Ｗ１及び第２搬送路Ｗ２に沿って第２切替部１６まで搬送させる。
【００３２】
このとき第２切替部１６は、制御部３の制御により後上側及び後下側を繋ぐように内部の搬送経路を切り替えており、スキャナ部１５から受け取った小切手ＣＫを後下方のリトラクト部１８に引き渡す。リトラクト部１８は、スキャナ部１５のほぼ真下に配置されており、内部に小切手ＣＫを収納する収納空間を形成すると共に、小切手ＣＫをこの収納空間へ放出する放出機構を有している。このリトラクト部１８は、第２切替部１６から受け取った小切手ＣＫを放出機構により放出空間内へ順次放出し、該小切手ＣＫを該放出空間内に集積させた状態で収納する。これにより制御部３は、取忘取込処理を終了する。
【００３３】
一方、制御部３は、入金読取処理によってエスクロ部１７に全ての小切手ＣＫを保留した状態で、利用者から入金取引の継続が指示されると、保留している小切手ＣＫを収納する収納処理を開始する。具体的にエスクロ部１７は、ドラムを逆回転させることにより保留していた小切手ＣＫを１枚ずつ繰り出し、第２切替部１６を介してスキャナ部１５に引き渡していく。
【００３４】
スキャナ部１５は、第２切替部１６から順次受け取った小切手ＣＫを第２搬送路Ｗ２に沿って後方へ搬送しながら、内蔵するプリンタやスタンプ押印部により該小切手ＣＫに対し取引結果等を表す情報を印字すると共にその画像を撮像して印字状態を認識した上で、該小切手ＣＫを第１切替部１４に引き渡す。
【００３５】
このとき第１切替部１４は、制御部３の制御により前側の第２搬送路Ｗ２及び下側の第３搬送路Ｗ３を繋ぐように内部の搬送経路を切り替えており、スキャナ部１５から受け取った小切手ＣＫを下方の後中搬送部１９に引き渡す。後中搬送部１９は、リトラクト部１８の後側において上下方向に沿って第３搬送路Ｗ３を形成されており、第１切替部１４から受け取った小切手ＣＫをこの第３搬送路Ｗ３に沿って下方へ搬送し、下側の第３切替部２０に引き渡す。
【００３６】
第３切替部２０は、制御部３の制御に基づいて内部の搬送経路を切り替えることにより、上側の第３搬送路Ｗ３及び下側の第４搬送路Ｗ４を繋ぎ、或いは上側の第３搬送路Ｗ３及び後側の第５搬送路Ｗ５を繋ぐようになっている。例えば第３切替部２０は、上側の第３搬送路Ｗ３及び下側の第４搬送路Ｗ４を繋ぐように内部の搬送経路を切り替えていた場合、上側の後中搬送部１９から受け取った小切手ＣＫを、下側の後下搬送部２１に引き渡す。
【００３７】
後下搬送部２１は、上側と前下側とを結ぶように第４搬送路Ｗ４を形成しており、第３切替部２０から受け取った小切手ＣＫを前下方へ搬送し、その前下方に設けられた第１スタッカ部２２Ａに引き渡す。第１スタッカ部２２Ａは、フレーム２に対し着脱可能であり内部に多数の小切手ＣＫを集積した状態で収納可能なスタッカや、該スタッカ内へ小切手ＣＫを放出する放出機構等を有している。この第１スタッカ部２２Ａは、後下搬送部２１から小切手ＣＫを受け取ると、該小切手ＣＫを放出機構により放出し、スタッカ内に集積した状態で収納する。
【００３８】
また第３切替部２０は、上側の第３搬送路Ｗ３及び後側の第５搬送路Ｗ５を繋ぐように内部の搬送経路を切り替えていた場合、後中搬送部１９から受け取った小切手ＣＫを前側の下搬送部２３に引き渡す。下搬送部２３は、リトラクト部１８の下側且つ第１スタッカ部２２Ａの上側において、後側と前下側とを結ぶように第５搬送路Ｗ５を形成しており、この第５搬送路Ｗ５に沿って小切手ＣＫを前下方へ搬送し、その前下方に設けられた第２スタッカ部２２Ｂに引き渡す。第２スタッカ部２２Ｂは、第１スタッカ部２２Ａと同様に構成されており、下搬送部２３から小切手ＣＫを受け取ると、該小切手ＣＫを放出機構により放出し、スタッカ内に集積して収納する。
【００３９】
かくして制御部３は、エスクロ部１７に保留していた全ての小切手ＣＫを第１スタッカ部２２Ａ又は第２スタッカ部２２Ｂのスタッカ内に収納させると、収納処理を終了する。これにより制御部３は、利用者との間における小切手ＣＫの入金取引を完了する。
【００４０】
［１−２．スキャナ部の構成］
次に、スキャナ部１５の構成について説明する。スキャナ部１５は、図２に模式的な左側面図を示すように、直方体状のスキャナ部フレーム３０の内部に上搬送ガイド３１及び下搬送ガイド３２が互いに対向するように取り付けられることにより、該上搬送ガイド３１及び該下搬送ガイド３２の間に第２搬送路Ｗ２が形成されている。またスキャナ部１５には、この第２搬送路Ｗ２に沿って種々のモジュールが適宜配置されている。
【００４１】
第１案内体としての上搬送ガイド３１は、例えば導電性を有する樹脂材料により前後方向に長く上下方向に薄い板状に構成されており、少なくともその下面が平面状に形成されている。すなわち上搬送ガイド３１は、平面状に形成された下面（以下これを案内面とも呼ぶ）により第２搬送路Ｗ２の上限を規定しており、小切手ＣＫの上方向への移動範囲を規定することにより、該小切手ＣＫを該第２搬送路Ｗ２内で前後方向（以下これを搬送方向とも呼ぶ）へ進行させるように案内する。
【００４２】
上搬送ガイド３１における左右方向の長さ、すなわち第２搬送路Ｗ２における左右方向（以下これを幅方向とも呼ぶ）の長さは、小切手ＣＫにおける左右方向の長さ（すなわち短辺の長さ）よりも十分に長くなっている。また上搬送ガイド３１には、上下方向に貫通する孔部が適宜設けられており、スキャナ部１５に設けられた種々のモジュールの一部を第２搬送路Ｗ２に露出させ、若しくは該第２搬送路Ｗ２内に突出させ、或いは光を通過させるようになっている。
【００４３】
第２案内体としての下搬送ガイド３２は、概ね上搬送ガイド３１と上下対称に構成されているものの、取り付けられたモジュールの相違等に応じて、形成される孔部の位置や大きさ等が相違している。
【００４４】
また上搬送ガイド３１及び下搬送ガイド３２の左側及び右側には、小切手ＣＫにおける左方向及び右方向への移動範囲をそれぞれ規定することにより、該小切手ＣＫを案内する左搬送ガイド３３及び右搬送ガイド３４がそれぞれ配置されている。因みに小切手ＣＫは、アライナ部１３（図１）において第２搬送路Ｗ２内における右側に寄せられた状態で搬送されるため、右搬送ガイド３４に右側面を極めて近接させ、若しくは当接（すなわち摺動）させながら搬送される。
【００４５】
スキャナ部フレーム３０内には、第２搬送路Ｗ２に沿って離散的な４箇所に搬送ローラ対３５Ａ、３５Ｂ、３５Ｃ及び３５Ｄ（以下これらをまとめて搬送ローラ対３５と呼ぶ）が配置されている。各搬送ローラ対３５は、第２搬送路Ｗ２の上側に配置された駆動ローラ３６及びその下側に配置された従動ローラ３７により構成されている。
【００４６】
駆動ローラ３６は、中心軸を左右方向に沿わせた扁平な円柱状に形成されており、その中心部分において駆動シャフト３８に挿通されている。駆動シャフト３８は、左右方向に沿った細長い円柱状に構成されており、スキャナ部フレーム３０により回転可能に支持されている。この駆動シャフト３８には、左右方向に離れた２箇所において、２個の駆動ローラ３６が挿通されている。駆動シャフト３８は、図示しない搬送モータから駆動力が伝達されることにより、各駆動ローラ３６と一体に回転する。
【００４７】
従動ローラ３７は、駆動ローラ３６と同様に中心軸を左右方向に沿わせた扁平な円柱状に形成されており、その中心部分において従動シャフト３９に挿通されている。従動シャフト３９は、駆動シャフト３８と同様、左右方向に沿った細長い円柱状に構成されている。また従動シャフト３９は、スキャナ部フレーム３０に下端が固定されたテンションスプリング４０の上端により、回転可能に支持されている。このテンションスプリング４０は、自然状態から圧縮された状態で組み込まれており、従動シャフト３９に対し上方向へ向かう付勢力を作用させる。
【００４８】
かかる構成により搬送ローラ対３５は、従動ローラ３７の外周面を駆動ローラ３６の外周面に押し付けるように当接させ、該駆動ローラ３６の回転に伴って該従動ローラ３７を回転させる。また搬送ローラ対３５は、第２搬送路Ｗ２に沿って小切手ＣＫが搬送されてきた場合、該小切手ＣＫの厚さに応じてテンションスプリング４０が圧縮されることによって従動ローラ３７が下方へ移動し、且つ該テンションスプリング４０からの付勢力により該小切手ＣＫを駆動ローラ３６及び従動ローラ３７の間に挟持する。これにより搬送ローラ対３５は、回転する駆動ローラ３６から該小切手ＣＫに対し駆動力を伝達し、該小切手ＣＫを前方向又は後方向へ搬送することができる。
【００４９】
搬送ローラ対３５Ａ及び３５Ｂの間における第２搬送路Ｗ２の下側には、小切手ＣＫから磁気記録を読み取る磁気ヘッド４１が配置されている。すなわち磁気ヘッド４１は、小切手ＣＫの搬送方向が前方向又は後方向の何れであっても、その上流側及び下流側にそれぞれ搬送ローラ対３５が配置されていることになる。この磁気ヘッド４１は、上面の一部を小切手ＣＫに当接させることにより、該小切手ＣＫから磁気記録を読み取るようになっている（詳しくは後述する）。説明の都合上、以下では、スキャナ部１５のうち搬送ローラ対３５Ａ及び３５Ｂ並びに磁気ヘッド４１を含む部分を、磁気読取部５０とも呼ぶ。
【００５０】
搬送ローラ対３５Ｂ及び３５Ｃの間における第２搬送路Ｗ２の上側及び下側には、上撮像部４２及び下撮像部４３がそれぞれ配置されている。上撮像部４２は、撮像方向を下方に向けたＣＩＳ（Contact Image Sensor）となっており、搬送される小切手ＣＫのうち上側を向いた裏面を、左右方向に沿ったライン状に順次読み取ることにより、１枚の画像データを生成し、これを制御部３に供給する。また下撮像部４３は、上撮像部４２と同様のＣＩＳを上下反対に向けた構成となっており、搬送される小切手ＣＫのうち下側を向いた表面を順次読み取って１枚の画像データを生成し、これを制御部３に供給する。
【００５１】
搬送ローラ対３５Ｃ及び３５Ｄの間における第２搬送路Ｗ２の上側及び下側には、プリンタ４４及びスタンプ押印部４５がそれぞれ配置されている。プリンタ４４は、例えばインクジェット方式のプリンタとして構成されており、制御部３の制御に基づき、搬送される小切手ＣＫのうち上側を向いた裏面に、取引結果等の内容を表す文字や記号を印字する。スタンプ押印部４５は、制御部３の制御に基づき、搬送される小切手ＣＫのうち下側を向いた表面に、所定の文字や記号等を表すスタンプを押印する。
【００５２】
磁気ヘッド４１の後側には、磁気トリガセンサ４７が設けられている。磁気トリガセンサ４７は、いわゆる光学センサとして構成されており、所定の検知光を発光する発光素子及び該検知光を受光する受光素子が、第２搬送路Ｗ２を挟んだ上側及び下側に分かれて配置されている。受光素子は、検知光の受光結果を表す受光信号を制御部３に通知する。
【００５３】
制御部３は、入金読取処理の実行中に、磁気トリガセンサ４７からの受光信号を基に検知光が遮光されたことを検知すると、後方から搬送されてきた小切手ＣＫの先端が検知光の光路を横切ったと判断し、このことをトリガとして磁気ヘッド４１による磁気記録の読取動作を開始させる。因みに制御部３は、検知光を再び受光したことを検知すると、小切手ＣＫの末端が検知光の光路を横切ったと判断し、磁気ヘッド４１による磁気記録の読取を終了させる。
【００５４】
プリンタ４４の前方には、印字トリガセンサ４８が設けられている。印字トリガセンサ４８は、磁気トリガセンサ４７と同様の光学センサとして構成されている。制御部３は、収納処理の実行中に、印字トリガセンサ４８からの受光信号を基に検知光が遮光されたことを検知すると、小切手ＣＫが前方から印字トリガセンサ４８が配置された箇所に搬送されてきたと判断し、このことをトリガ（契機）としてプリンタ４４による印字動作やスタンプ押印部４５による押印動作を行わせる。
【００５５】
［１−３．磁気読取部の構成］
次に、スキャナ部１５の一部である磁気読取部５０の構成について説明する。図３（Ａ）は、磁気読取部５０の模式的な平面図を示している。また図４（Ａ）及び（Ｂ）は、図３（Ａ）のＡ１−Ａ２断面図及びＢ１−Ｂ２断面図をそれぞれ模式的に示している。さらに図３（Ｂ）は、磁気読取部５０から第２搬送路Ｗ２よりも上側に位置する上搬送ガイド３１等の部品を省略した場合の平面図を表している。
【００５６】
図３から分かるように、磁気読取部５０では、磁気ヘッド４１が第２搬送路Ｗ２における右端近傍に配置されている。これは、アライナ部１３（図１）において右側に寄せられた小切手ＣＫにおいて、磁気インクを用いてＭＩＣＲ文字により磁気記録がなされた磁気記録領域ＭＲが右端近傍に位置することに対応するものである。
【００５７】
図４（Ａ）に示したように、磁気ヘッド４１の上面は、前後方向の中央付近が前端や後端よりも高くなるように盛り上がっており、その頂上部分が左右方向から見て円弧状に湾曲されると共に、磁気を読み取る読取箇所４１Ｒが設けられている。因みに読取箇所４１Ｒは、図３（Ｂ）に示したように、左右方向にある程度の長さを有する一方、前後方向の幅が極めて短い直線状に形成されている。
【００５８】
また磁気ヘッド４１は、その上面を下搬送ガイド３２の上面よりも上側に、すなわち第２搬送路Ｗ２内に位置させている。これに加えて磁気ヘッド４１は、その上面において最も上方に位置する読取箇所４１Ｒを、上搬送ガイド３１の下面３１Ｓ及び下搬送ガイド３２の上面３２Ｓの中間点よりも上側に位置させている。換言すれば、読取箇所４１Ｒは、搬送ローラ対３５（図４（Ｂ））において駆動ローラ３６Ａの下端に相当する高さよりも上側に位置している。
【００５９】
さらに図３（Ｂ）及び図４（Ａ）に示したように、下搬送ガイド３２における磁気ヘッド４１の後側及び前側には、左右方向に関し該磁気ヘッド４１と同等の範囲に、周囲よりも上方へ隆起した後隆起部３２ＵＲ及び前隆起部３２ＵＦがそれぞれ形成されている。後隆起部３２ＵＲは、その後端が下搬送ガイド３２の上面３２Ｓと同等の高さである一方、その前端が磁気ヘッド４１の後端とほぼ同等の高さとなるような、該磁気ヘッド４１側が高い傾斜面を形成している。前隆起部３２ＵＦは、後隆起部３２ＵＲと前後対称な傾斜面を形成している。
【００６０】
かかる構成に加えて、磁気読取部５０における磁気ヘッド４１の上側には、押付部５１が設けられている（図４（Ａ））。押付部５１は、磁気ヘッド４１の上側における後側及び前側にそれぞれ配置されたベルトプーリ５２Ａ及び５２Ｂと、該ベルトプーリ５２Ａ及び５２Ｂの周囲を巻回するように張架されたベルト５３とにより構成されている。
【００６１】
ベルトプーリ５２Ａは、搬送ローラ対３５Ａの駆動ローラ３６Ａと同様、中心軸を左右方向に沿わせた扁平な円柱状に形成されており、その中心部分において駆動シャフト３８Ａに挿通されている。すなわちベルトプーリ５２Ａは、駆動シャフト３８Ａが回転された場合に、該駆動シャフト３８Ａ及び駆動ローラ３６Ａと一体に回転する。因みにベルトプーリ５２Ａの外周面には、図示しないギアが設けられている。
【００６２】
ベルトプーリ５２Ｂは、ベルトプーリ５２Ａと同様に構成され、駆動シャフト３８Ｂに挿通されている。このためベルトプーリ５２Ｂは、駆動シャフト３８Ｂが回転された場合に、該駆動シャフト３８Ｂ及び駆動ローラ３６Ｂと一体に回転する。
【００６３】
ベルト５３は、可撓性を有する材料により、左右方向に所定の幅を有する無端ベルトとして構成されている。このベルト５３は、駆動シャフト３８Ａ及び３８Ｂの間隔が適切に調整されることにより、ベルトプーリ５２Ａ及び５２Ｂの間を渡る部分に一定の張力が作用している。これを換言すれば、磁気読取部５０では、互いの間隔が適切に調整された駆動シャフト３８Ａ及び３８Ｂが、ベルト５３の張力を調整するベルト張力調整部として機能している。
【００６４】
またベルト５３は、ベルトプーリ５２（５２Ａ及び５２Ｂ）の下端近傍において、その下面を磁気ヘッド４１の上面における頂上部分に位置する読取箇所４１Ｒよりも下側に位置させている。このためベルト５３は、その下側部分であるベルト下部５３Ｌのうち前後の中央付近が、磁気ヘッド４１の上面における頂上部分により上方へ押し上げられている。
【００６５】
これを換言すれば、ベルト５３は、ベルト下部５３Ｌのうち磁気ヘッド４１における頂上部分の近傍において、該頂上部分により上方へ押し上げられ、該上場部分の形状に合わせて変形し、上方へ突出するように湾曲した湾曲面を形成する。またこのときベルト５３は、張力の作用により、磁気ヘッド４１と当接している部分、すなわち該磁気ヘッド４１の頂上部分及びその近傍に対して、下方向へ押し付ける力を加えることになる。そのうえベルト下部５３Ｌは、重力の作用により、下側に位置する磁気ヘッド４１に向けて、自重に応じた力も加えることになる。
【００６６】
さらにベルト５３の内周面には、ベルトプーリ５２Ａ等に形成されたギアと対応する間隔ごとに、図示しない「歯」が形成されている。このためベルト５３は、ベルトプーリ５２Ａの後側部分及びベルトプーリ５２Ｂの前側部分において、内周面に形成された歯をベルトプーリ５２Ａ等に形成されたギアとそれぞれ噛み合わせることができる。
【００６７】
かかる構成により押付部５１は、駆動シャフト３８（３８Ａ及び３８Ｂ）が矢印Ｒ２方向、すなわち図の反時計回りに回転されるとベルトプーリ５２（５２Ａ及び５２Ｂ）を矢印Ｒ２方向へ回転させ、これに伴いベルト５３を矢印Ｅ１方向へ走行させる。
【００６８】
ここでベルトプーリ５２は、そのピッチ円直径が駆動ローラ３６（３６Ａ及び３６Ｂ）の直径と同等に設定されている。このためベルト５３における下側の部分、すなわち第２搬送路Ｗ２に面する部分であるベルト下部５３Ｌの走行速度は、回転する駆動ローラ３６における外周部分の進行速度と一致する。例えば磁気読取部５０では、駆動ローラ３６の外周部分における進行速度を所定の速度Ｖ１とすると、搬送ローラ対３５から小切手ＣＫに駆動力が伝達されることにより該小切手ＣＫが速度Ｖ１で後方へ搬送され、且つベルト下部５３Ｌも同等の速度Ｖ１で走行する。
【００６９】
このように磁気読取部５０は、押付部５１のベルト５３を磁気ヘッド４１の読取箇所４１Ｒに押し付け、該磁気ヘッド４１における該読取箇所４１Ｒ近傍の形状に合わせてベルト５３を湾曲させながら、搬送される小切手ＣＫと同等の速度で走行させるようになっている。
【００７０】
［１−４．効果等］
以上の構成において、第１の実施の形態による小切手処理装置１は、スキャナ部１５の磁気読取部５０において、磁気ヘッド４１の上側に押付部５１を設けた。押付部５１は、磁気ヘッド４１の上側前後に配置したベルトプーリ５２Ａ及び５２Ｂの周囲にベルト５３を掛け回し、ベルト下部５３Ｌを該磁気ヘッド４１の頂上部分に押し付けるようにした。
【００７１】
磁気読取部５０（図３及び図４）は、後側の第１切替部１４から小切手ＣＫが引き渡されると、これを搬送ローラ対３５Ａにより挟持して前方へ搬送する。このとき磁気読取部５０の右側部分では、小切手ＣＫの先端部分を下搬送ガイド３２に設けられた後隆起部３２ＵＲにより徐々に上方へ案内し、磁気ヘッド４１の近傍に到達させる。
【００７２】
続いて磁気読取部５０では、磁気ヘッド４１の上面における後側部分に形成された傾斜面により小切手ＣＫの先端部分をさらに上方へ案内し、やがて図５（Ａ）に示すように、該磁気ヘッド４１の頂上部分近傍と、該頂上部分の形状に合わせて湾曲したベルト下部５３Ｌとの間に挟み込む。
【００７３】
このとき磁気読取部５０では、ベルト５３の張力が作用するため、ベルト下部５３Ｌにより小切手ＣＫを磁気ヘッド４１の上面における頂上部分に、すなわち読取箇所４１Ｒに押し付ける。このため磁気ヘッド４１は、押し付けられた小切手ＣＫの磁気記録領域ＭＲから読取箇所４１Ｒにより磁気を精度良く読み取ることができる。
【００７４】
ここで、本実施形態による磁気読取部５０との比較用に、図６（Ａ）に示すような、従来の磁気読取部４５０を想定する。この磁気読取部４５０では、押付ローラ４５１が中心軸４５２を中心に回転するようになっており、この中心軸４５２の中心点４５２Ｃが読取箇所４１Ｒの真上に位置するように設計されている。
【００７５】
これを換言すれば、磁気読取部４５０では、押付ローラ４５１において磁気ヘッド４１と当接する当接点４５１Ｎが読取箇所４１Ｒに当接するように設計されている。すなわち磁気読取部４５０では、当接点４５１Ｎにおける押付ローラ４５１の接線（図中一点鎖線で示す）と、読取箇所４１Ｒにおける磁気ヘッド４１の接線とが一致し、且つ該当接点４５１Ｎが該読取箇所４１Ｒに当接するように、設計されている。
【００７６】
この磁気読取部４５０において、図６（Ｂ）に示すように磁気ヘッド４１の取付誤差が生じ、その姿勢が理想的な状態（図６（Ａ））から傾いてしまった場合、押付ローラ４５１の当接点４５１Ｎは、磁気ヘッド４１に対し読取箇所４１Ｒから外れた箇所に当接する。また磁気読取部４５０において、図６（Ｃ）に示すように磁気ヘッド４１の取付誤差が生じ、前後方向に関する取付位置が理想的な状態（図６（Ａ））から変位してしまった場合も、押付ローラ４５１の当接点４５１Ｎは、磁気ヘッド４１に対し読取箇所４１Ｒから外れた箇所に当接する。
【００７７】
これらの場合、磁気読取部４５０では、押付ローラ４５１により読取箇所４１Ｒに対し十分な力で小切手ＣＫを押し付けることができないため、該読取箇所４１Ｒによる磁気記録の読取精度が低下する恐れがあった。
【００７８】
これに対し本実施の形態による磁気読取部５０（図５（Ａ））では、磁気ヘッド４１の上側に配置した押付部５１においてベルト５３が可撓性を有しており、且つベルトプーリ５２Ａ及び５２Ｂの間に張架されて張力を作用させている。
【００７９】
このため磁気読取部５０は、図５（Ｂ）に示すように、仮に磁気ヘッド４１の取付誤差により所定の角度θだけ傾いて取り付けられた場合であっても、傾いた姿勢の磁気ヘッド４１に合わせてベルト下部５３Ｌが変形して湾曲するため、読取箇所４１Ｒに対し小切手ＣＫを適切に押し付けることができる。
【００８０】
また磁気読取部５０は、図５（Ｃ）に示すように、仮に磁気ヘッド４１の取付誤差により所定の距離Ｄだけ前後方向へ変位して取り付けられた場合であっても、変位した位置の磁気ヘッド４１に合わせてベルト下部５３Ｌが変形して湾曲するため、やはり読取箇所４１Ｒに対し小切手ＣＫを適切に押し付けることができる。
【００８１】
すなわち磁気読取部５０は、磁気ヘッド４１の取付誤差により姿勢（傾き）や前後方向の位置が理想的な状態から外れていたとしても、ベルト５３を変形させることにより読取箇所４１Ｒに小切手ＣＫを適切に押し付けることができるので、小切手ＣＫの磁気記録領域ＭＲから磁気記録を精度良く読み取ることができる。
【００８２】
ところで磁気読取部５０では、図３に示したように、アライナ部１３（図１）により右側に寄せて搬送された小切手ＣＫにおける磁気記録領域ＭＲの位置が右端近傍であることに伴い、第２搬送路Ｗ２における右端近傍に磁気ヘッド４１が配置され、これよりも左側に２組の搬送ローラ対３５が配置されている。
【００８３】
このため磁気読取部５０では、仮に前方へ向けて搬送する小切手ＣＫの先端が磁気ヘッド４１の近傍で摩擦により後向きの力を受けた場合、搬送ローラ対３５Ａにより中央付近及び左端付近において作用する前向きの力との組合せにより、該小切手ＣＫに対し図３における反時計回りに回転させようとする力が作用することになる。これにより小切手ＣＫは、その短辺を左右方向に対し傾斜させた状態、いわゆるスキューが生じた状態となってしまう。このような場合、小切手処理装置１では、磁気読取部５０における磁気記録の読取精度の低下や、後段の上撮像部４２及び下撮像部４３（図２）による撮像処理における撮像範囲のずれ等、様々な問題を生じる恐れがある。
【００８４】
この点において磁気読取部５０は、ベルトプーリ５２の回転によりベルト５３を走行させ、ベルト下部５３Ｌを小切手ＣＫの搬送方向と同一の前方向へ進行させるようにした。そのうえ磁気読取部５０では、ベルトプーリ５２のピッチ円直径を駆動ローラ３６の直径と一致させることにより、小切手ＣＫの搬送速度とベルト下部５３Ｌの走行速度とを一致させるようにした。
【００８５】
すなわち磁気読取部５０は、小切手ＣＫの下面については磁気ヘッド４１の上面を摺動させるものの、該小切手ＣＫの上面については当接させたベルト下部５３Ｌを該小切手ＣＫと同一の速度で前方へ進行させる。このため磁気読取部５０は、ベルト５３の走行により磁気ヘッド４１の近傍において小切手ＣＫを搬送ローラ対３５による本来の搬送速度のまま前方へ進行させることができる。この結果、磁気読取部５０は、小切手ＣＫにスキューを生じさせること無く、短辺を左右方向に沿わせると共に長辺を前後方向に沿わせた適切な搬送姿勢を維持させたまま、磁気ヘッド４１により磁気記録を読み取ることができる。
【００８６】
また磁気読取部５０は、搬送ローラ対３５において駆動ローラ３６と一体に回転する駆動シャフト３８にベルトプーリ５２を挿通させ、該ベルトプーリ５２を該駆動ローラ３６と一体として回転させるようにした。これにより磁気読取部５０は、例えば駆動シャフト３８に駆動力を供給するモータの回転速度が変動した場合であっても、駆動ローラ３６の外周部分における回転速度とベルト下部５３Ｌにおける走行速度とを常に高い精度で一致させるため、小切手ＣＫにおけるスキューの発生を確実に抑えることができる。
【００８７】
また磁気読取部５０は、下搬送ガイド３２における磁気ヘッド４１の後側部分及び前側部分に、後隆起部３２ＵＲ及び前隆起部３２ＵＦをそれぞれ設けた（図３（Ｂ）、図４（Ａ））。このため磁気読取部５０は、前方向へ搬送される小切手ＣＫについては、その先端部分を後隆起部３２ＵＲにより徐々に持ち上げ、磁気ヘッド４１の後側面に当接させることなく上面へ円滑に案内できる。これと同様に磁気読取部５０は、後方向へ搬送される小切手ＣＫについても、その先端部分を前隆起部３２ＵＦにより徐々に持ち上げ、磁気ヘッド４１の前側面に当接させることなく上面へ円滑に案内できる。
【００８８】
以上の構成によれば、第１の実施の形態による小切手処理装置１は、スキャナ部１５の磁気読取部５０において、磁気ヘッド４１の上側に押付部５１を設け、ベルトプーリ５２Ａ及び５２Ｂの周囲に掛け回したベルト５３のベルト下部５３Ｌを、該磁気ヘッド４１の頂上部分に押し付けた。磁気読取部５０は、磁気ヘッド４１の姿勢や前後方向の位置に関して取付誤差が生じた場合であっても、該磁気ヘッド４１に合わせてベルト下部５３Ｌが変形して湾曲面を形成するため、読取箇所４１Ｒに対し小切手ＣＫを適切に押し付ける。このため小切手処理装置１は、磁気読取部５０において、磁気ヘッド４１の取付誤差等による影響を受けること無く、読取箇所４１Ｒにより小切手ＣＫの磁気記録領域ＭＲから磁気記録を精度良く読み取ることができる。
【００８９】
［２．第２の実施の形態］
第２の実施の形態による小切手処理装置１０１（図１）は、第１の実施の形態による小切手処理装置１と比較して、スキャナ部１５に代わるスキャナ部１１５を有する点において相違するものの、他の点については同様に構成されている。スキャナ部１１５（図２）は、第１の実施の形態によるスキャナ部１５と比較して、磁気読取部５０に代わる磁気読取部１５０を有する点において相違するものの、他の点については同様に構成されている。
【００９０】
磁気読取部１５０は、図４（Ａ）と対応する図７に示すように、磁気読取部５０と比較して、下搬送ガイド３２に代わる下搬送ガイド１３２を有する点、及び磁気ヘッド４１がスプリング１６１を介してスキャナ部フレーム３０に取り付けられている点において相違する。その一方で磁気読取部１５０は、その他の部分において、磁気読取部５０と同様に構成されている。
【００９１】
下搬送ガイド１３２は、下搬送ガイド３２と同様の構成に加えて、磁気ヘッド４１の周囲に、該磁気ヘッド４１を案内する磁気ヘッド案内部１３２Ｇが設けられており、該磁気ヘッド４１の姿勢を維持したまま上下方向へ移動させることができる。ベルト張力調整部及び付勢体としてのスプリング１６１は、中心軸を上下方向に沿わせたコイルばねであり、自然長から圧縮された状態で取り付けられており、磁気ヘッド４１に対し上方向へ向かう力を作用させる。
【００９２】
かかる構成により磁気読取部１５０は、スプリング１６１により磁気ヘッド４１からベルト下部５３Ｌに対し上方向へ向かう力を作用させる。これによりベルト下部５３Ｌは、第１の実施の形態と同様、磁気ヘッド４１の形状に合わせて変形し、上方向へ突出するように湾曲する。
【００９３】
このため磁気読取部１５０は、第１の実施の形態と同様、磁気ヘッド４１に合った形状に湾曲されたベルト下部５３Ｌとの間に小切手ＣＫを挟み、該磁気ヘッド４１の読取箇所４１Ｒを該小切手ＣＫの磁気記録領域ＭＲに押し付けながら、該小切手ＣＫを前方向へ進行させることができる。これにより磁気読取部１５０は、第１の実施の形態と同様、磁気ヘッド４１の読取箇所４１Ｒにより、小切手ＣＫの磁気記録領域ＭＲから磁気を精度良く読み取ることができる。
【００９４】
ところで、スプリング１６１のようなコイルばねでは、一般に、例えばばね定数のような特性値を精度良く揃えること、すなわち誤差を小さく抑えて製造することが、比較的容易である。このため磁気読取部１５０は、一般的な製造方法により安価に製造されるスプリング１６１を組み込むだけで、その弾性力により磁気ヘッド４１からベルト下部５３Ｌに加える力を、適切な値に合わせることができる。
【００９５】
すなわち磁気読取部１５０は、第１の実施の形態による磁気読取部５０のように駆動シャフト３８Ａ及び３８Ｂの間隔を調整する、といった比較的難易度の高い作業を行わせる必要が無く、適切な特性のスプリング１６１を選定して組み込むだけで、ベルト５３に作用する張力を適切な値に精度良く合わせることができる。
【００９６】
その他の点についても、第２の実施の形態による磁気読取部１５０は、第１の実施の形態と同様の作用効果を奏し得る。
【００９７】
以上の構成によれば、第２の実施の形態による小切手処理装置１０１は、スキャナ部１１５の磁気読取部１５０において、磁気ヘッド４１の上側に押付部５１を設け、ベルトプーリ５２Ａ及び５２Ｂの周囲にベルト５３を掛け回し、スプリング１６１により磁気ヘッド４１の頂上部分をベルト下部５３Ｌに押し付けた。磁気読取部１５０は、該磁気ヘッド４１に合わせてベルト下部５３Ｌが変形して湾曲面を形成し、またスプリング１６１によりベルト下部５３Ｌに適切な張力を作用させることができるため、小切手ＣＫに読取箇所４１Ｒを適切に押し付けることができる。このため小切手処理装置１０１は、磁気読取部１５０において、読取箇所４１Ｒにより小切手ＣＫの磁気記録領域ＭＲから磁気記録を精度良く読み取ることができる。
【００９８】
［３．他の実施の形態］
なお上述した第２の実施の形態においては、スプリング１６１により磁気ヘッド４１のみを上方向へ付勢する場合について述べた。しかしながら本発明はこれに限らず、例えば図８に示す磁気読取部２５０のように、下搬送ガイド３２に相当する部分を下搬送ガイド２３２及び可動搬送ガイド２６２により構成し、該可動搬送ガイド２６２に磁気ヘッド４１を固定してスプリング２６１により上方向へ付勢しても良い。
【００９９】
これにより磁気読取部２５０は、磁気ヘッド４１の前後に隣接する後隆起部２６２ＵＲ及び前隆起部２６２ＵＦを該磁気ヘッド４１と一体として上下方向へ移動させることができる。この磁気読取部２５０は、可動搬送ガイド２６２と磁気ヘッド４１との接続箇所に隙間を形成する必要が無いため、小切手ＣＫをより円滑に案内することができる。因みに下搬送ガイド２３２及び可動搬送ガイド２６２の接続部分には、櫛歯状でなり上面を相手方へ向けて下降するような傾斜面とした複数の突起形状をそれぞれに設け、これらを互いに噛み合わせることにより、小切手ＣＫを円滑に案内することができる。
【０１００】
また上述した第１の実施の形態においては、駆動シャフト３８Ａ及び３８Ｂの間隔を調整することによりベルト下部５３Ｌに作用する張力を調整し、該ベルト下部５３Ｌを磁気ヘッド４１に押し付ける力を調整する場合について述べた。しかしながら本発明はこれに限らず、例えば図９に示す磁気読取部３５０のように、ベルト下部５３Ｌの上側、すなわちベルトプーリ５２Ａ及び５２Ｂの間に、ベルト押付部としての押付力調整部３６０を配置しても良い。
【０１０１】
この押付力調整部３６０は、スキャナ部フレーム３０（図２）に固定された支持部３６１にスプリング３６２の上端が取り付けられ、該スプリング３６２の下端に取り付けられた中心軸３６３を中心として押付ローラ３６４が自在に回転するようになっている。かかる構成により押付力調整部３６０は、スプリング３６２の特性を適切に設定することにより、ベルト下部５３Ｌから磁気ヘッド４１に押し付ける力を適切な値に精度良く合わせることができる。この場合、第２の実施の形態と同様、駆動シャフト３８Ａ及び３８Ｂの位置を調整することによりベルト下部５３Ｌの張力を調整する必要が無い。
【０１０２】
或いは、例えば押付力調整部３６０を上下反対に構成し、押付ローラ３６４をベルト５３における上側部分に押し付けることにより、第２の実施の形態におけるスプリング１６１と同様、ベルト張力調整部として機能させても良い。これにより、ベルト下部５３Ｌに作用する張力を適切に調整でき、該ベルト下部５３Ｌを磁気ヘッド４１に押し付ける力を調整することができる。
【０１０３】
さらに上述した第１の実施の形態においては、ベルトプーリ５２を駆動シャフト３８に取り付けることにより、該ベルトプーリ５２を駆動ローラ３６と一体として回転させる場合について述べた。しかしながら本発明はこれに限らず、例えばベルトプーリ５２を他のギヤ等と噛み合わせ、他の駆動力源から供給される駆動力により回転させても良い。この場合、搬送ローラ対３５により搬送される小切手ＣＫの搬送速度に対し、ベルト下部５３Ｌの走行速度を同等に合わせることができれば良い。さらにこの場合、ベルトプーリ５２のピッチ円直径を駆動ローラ３６の直径と相違させ、それぞれの回転速度を適宜相違させても良い。またこの場合、ベルトプーリ５２Ａ及び５２Ｂの真横に搬送ローラ対３５Ａ及び３５Ｂを配置する必要は無く、該搬送ローラ対３５Ａ及び３５Ｂをベルトプーリ５２Ａ及び５２Ｂの真横から前後方向に適宜移動させても良い。第２の実施の形態についても同様である。
【０１０４】
さらに上述した第１の実施の形態においては、ベルト下部５３Ｌの走行速度を駆動ローラ３６における外周部分の速度に合わせる場合について述べた。しかしながら本発明はこれに限らず、例えば走行するベルト下部５３Ｌと搬送される小切手ＣＫとの間にある程度の滑りが生じる場合に、この滑りを見越してベルト下部５３Ｌの走行速度を駆動ローラ３６における外周部分の速度よりも高めるようにしても良い。具体的には、上述したようにベルトプーリ５２を駆動ローラ３６とは異なる駆動力源から供給される駆動力により回転させ、或いはベルトプーリ５２のピッチ円直径を駆動ローラ３６の直径よりも大きくする等の構成を取ることが可能である。第２の実施の形態についても同様である。
【０１０５】
さらに上述した第１の実施の形態においては、ベルト５３の内周面に「歯」を形成すると共にベルトプーリ５２Ａ等にギアを形成し、両者を噛み合わせるようにした場合について述べた。しかしながら本発明はこれに限らず、例えばベルト５３の内周面及びベルトプーリ５２Ａ等の外周面を何れも平坦に形成しても良い。要は、ベルトプーリ５２Ａ等からベルト５３に対して駆動力を伝達することにより、該ベルト５３を駆動する（走行させる）ことができれば良い。第２の実施の形態についても同様である。
【０１０６】
さらに上述した第１の実施の形態においては、下搬送ガイド３２における磁気ヘッド４１の後側及び前側に後隆起部３２ＵＲ及び前隆起部３２ＵＦをそれぞれ設ける場合について述べた。しかしながら本発明はこれに限らず、例えば磁気ヘッド４１の上面に形成された傾斜面が比較的低い部分まで形成されており、小切手ＣＫが前側から当接したときにこの傾斜面に沿って上方へ案内できる場合等に、後隆起部３２ＵＲ及び前隆起部３２ＵＦを省略しても良い。第２の実施の形態についても同様である。
【０１０７】
さらに上述した第１の実施の形態においては、磁気読取部５０における小切手ＣＫの搬送方向を前後方向とし、第２搬送路Ｗ２の下側に磁気ヘッド４１を配置し、その上側に押付部５１を配置する場合について述べた。しかしながら本発明はこれに限らず、例えば磁気ヘッド４１を第２搬送路Ｗ２の上側に、すなわち読取箇所４１Ｒを下向きとして配置し、その下側に押付部５１を配置しても良い。また、例えば第２搬送路Ｗ２が上下方向に沿って形成されている場合に、該第２搬送路Ｗ２を前後方向から挟むようにして磁気ヘッド４１及び押付部５１をそれぞれ配置しても良い。第２の実施の形態についても同様である。
【０１０８】
さらに上述した第１の実施の形態においては、小切手ＣＫを搬送する方向に関して磁気ヘッド４１よりも上流側に搬送ローラ対３５Ａを配置する場合について述べた。しかしながら本発明はこれに限らず、例えば搬送ローラ対３５Ａを省略し、該磁気ヘッド４１よりも下流側に位置する搬送ローラ対３５Ｂにより小切手ＣＫを搬送しても良い。第２の実施の形態についても同様である。
【０１０９】
さらに上述した第１の実施の形態においては、媒体としての小切手ＣＫによる入金処理を行う小切手処理装置１に設けられるスキャナ部１５の磁気読取部５０に本発明を適用する場合について述べた。しかしながら本発明はこれに限らず、例えば種々の証券や金券、或いは乗車券等、種々の紙葉状の媒体を取り扱う種々の媒体処理装置において、該媒体から磁気記録を読み取る磁気読取部に適用しても良い。第２の実施の形態についても同様である。
【０１１０】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１１１】
さらに上述した第１の実施の形態においては、搬送ガイドとしての上搬送ガイド３１及び下搬送ガイド３２と、駆動力伝達部としての搬送ローラ対３５Ａ及び３５Ｂと、磁気ヘッドとしての磁気ヘッド４１と、ベルトとしてのベルト５３と、ベルト走行部としてのベルトプーリ５２Ａ及び５２Ｂとによって磁気読取装置としての磁気読取部５０を構成する場合について述べた。しかしながら本発明はこれに限らず、その他種々の構成でなる搬送ガイドと、駆動力伝達部と、磁気ヘッドと、ベルトと、ベルト走行部とによって磁気読取装置を構成しても良い。
【０１１２】
さらに上述した第１の実施の形態においては、受渡部としてのバンドル部１１と、搬送部としてのアライナ部１３と、磁気読取部としての磁気読取部５０とによって小切手処理装置としての小切手処理装置１を構成する場合について述べた。この場合、該磁気読取部については、搬送ガイドとしての上搬送ガイド３１及び下搬送ガイド３２と、駆動力伝達部としての搬送ローラ対３５Ａ及び３５Ｂと、磁気ヘッドとしての磁気ヘッド４１と、ベルトとしてのベルト５３と、ベルト走行部としてのベルトプーリ５２Ａ及び５２Ｂとによって構成した。しかしながら本発明はこれに限らず、その他種々の構成でなる受渡部と、搬送部と、磁気読取部とによって小切手処理装置を構成し、該磁気読取部を、その他種々の構成でなる搬送ガイドと、駆動力伝達部と、磁気ヘッドと、ベルトと、ベルト走行部とによって構成しても良い。
【産業上の利用可能性】
【０１１３】
本発明は、例えば小切手を用いた入金処理において該小切手から磁気記録を読み取る小切手処理装置で利用できる。
【符号の説明】
【０１１４】
１、１０１……小切手処理装置、１１……バンドル部、１３……アライナ部、１５、１１５……スキャナ部、３０……スキャナ部フレーム、３１……上搬送ガイド、３２、１３２、２３２……下搬送ガイド、３２ＵＦ、２６２ＵＦ……前隆起部、３２ＵＲ、２６２ＵＲ……後隆起部、３３……左搬送ガイド、３４……右搬送ガイド、３５、３５Ａ、３５Ｂ……搬送ローラ対、３６、３６Ａ、３６Ｂ……駆動ローラ、３７……従動ローラ、３８、３８Ａ、３８Ｂ……駆動シャフト、３９……従動シャフト、４０……テンションスプリング、４１……磁気ヘッド、４１Ｒ……読取箇所、５０、１５０、２５０、３５０……磁気読取部、５１……押付部、５２、５２Ａ、５２Ｂ……ベルトプーリ、５３……ベルト、５３Ｌ……ベルト下部、１３２Ｇ……磁気ヘッド案内部、１６１、２６１……スプリング、２６２……可動搬送ガイド、３６０……押付力調整部、ＣＫ……小切手、ＣＫＢ……束小切手、ＭＲ……磁気記録領域、Ｗ２……第２搬送路。
【図１】
2017187940.tif 000003
【図２】
2017187940.tif 000004
【図３】
2017187940.tif 000005
【図４】
2017187940.tif 000006
【図５】
2017187940.tif 000007
【図６】
2017187940.tif 000008
【図７】
2017187940.tif 000009
【図８】
2017187940.tif 000010
【図９】
2017187940.tif 000011